(57)【特許請求の範囲】
【請求項１】
ベッド柵が固定され、
移動可能な固定足と、
固定足の一部を押圧する押圧手段と、
前記押圧手段を動かすカムと
前記カムと前記押圧手段との距離を調整する隙間調整手段と、
前記カムを回転させる操作部材とを備え、
前記カムが回転することで、前記カムが前記押圧手段を押圧し、さらに前記押圧手段が前記固定足の一部を押圧し、さらに前記固定足の他部がベッドの一部に押圧されることで、前記ベッド柵が前記ベッドに固定される
ことを特徴とするベッド柵固定装置。
【請求項２】
ベッド柵が固定され、
軸を中心に回転可能な固定足と、
前記固定足の上部を押圧する押圧手段と、
前記押圧手段を動かすカムと、
前記カムと前記押圧手段との距離を調整する隙間調整ねじと、
前記カムを回転させる操作部材とを備え、
前記操作部材で前記カムを回転することで、前記カムが前記押圧手段を押圧し、さらに前記押圧手段が前記固定足の上部を押圧し、さらに前記固定足が前記軸を中心に回転して前記固定足の下部が、前記固定足が挿入されるベッドの取付穴の内面を押圧することで、前記ベッド柵が前記ベッドに固定される
ことを特徴とするベッド柵固定装置。
【請求項３】
請求項１または請求項２に記載のベッド柵固定装置において、
前記押圧手段は、前記固定足に接触する面が曲率を有する形状に形成される
ことを特徴とするベッド柵固定装置。
【請求項４】
請求項１から請求項３のうちの何れか一項に記載のベッド柵固定装置において、
前記押圧手段は、前記固定足に接触する箇所に摩擦力を高める部材が設けられる
ことを特徴とするベッド柵固定装置。
【請求項５】
請求項２から請求項４のうちの何れか一項に記載のベッド柵固定装置において、
前記操作部材の操作力は、前記操作部材の長さを変えることで変更できる
ことを特徴とするベッド柵固定装置。
【請求項６】
請求項２から請求項５のうちの何れか一項に記載のベッド柵固定装置において、
前記操作部材は、長さ調整できる
ことを特徴とするベッド柵固定装置。
【発明の詳細な説明】
【技術分野】
【０００１】
本発明は、ベッドにベッド柵を取り付け、取り外しするベッド柵固定装置に関する。
【背景技術】
【０００２】
図１６は、従来の落下防止用ベッド柵の正面図である。
介護ベッドは、使用者や寝具の落下防止のため、落下防止用ベッド柵１０１（以下、ベッド柵１０１と称する）が一側部に取り付けられている。
【０００３】
ベッド柵１０１の取り付けは、介護ベッドに設けられた装着穴にベッド柵１０１の支軸１０２ａ、１０２ｂを挿入したり、挿入後片側の支軸１０２ａまたは１０２ｂの構成部品をずらすことにより締結する（特許文献１参照）。或いは、ベッド柵１０１の支軸１０２ａ、１０２ｂを側面からネジｎ１０１、ｎ１０２で装着穴の内部に押し付けて摩擦力により固定する方法が採られている（特許文献２参照）。
【先行技術文献】
【特許文献】
【０００４】
【特許文献１】特開平９-２０６３３７号公報（図５、図５等）
【特許文献２】特開２０００-１１６７２２号公報（図３、図５等）
【発明の概要】
【発明が解決しようとする課題】
【０００５】
ところで、上述の介護ベッドは、痴呆症や認知症の患者が使用したりする。そのため、ベッド柵１０１を介護ベッドから引き抜いて放り投げたり、引き抜いて暴れるという事態が想定される。
そこで、ベッド柵１０１は介護ベッドにリジッドに固定される必要があるが、従来の方法では、例えば痴呆症の患者がベッド柵１０１を引き抜いて暴れるなどの事態を防止することは困難である。
【０００６】
例えば、ベッド柵１０１を挿入するだけの取り付け方法では勿論のこと、挿入後に締結する取り付け方法でも、長時間ベッド柵１０１を故意に揺らした場合、ベッド柵１０１が介護ベッドから外れるなどの問題が生じている。
一方、ベッド柵１０１の支軸１０２ａ、１０２ｂを側面からネジｎ１０１、ｎ１０２で固定する方法（図１６参照）は、ネジｎ１０１、ｎ１０２をそれぞれ締めることで、２つの支軸１０２ａ、１０２ｂを支点１０２ａ１、１０２ｂ１周りに回転させて支軸１０２ａ、１０２ｂのそれぞれの下端部が相対的に離れる方向に傾けることで行う。
しかし、この方法は手回しネジｎ１０１、ｎ１０２を２か所で締める必要がある。
【０００７】
そのため、手回しネジｎ１０１、ｎ１０２の各締め付けに過大な力を要する。
また、２つのネジｎ１０１、ｎ１０２の締め付け作業を行うので、締め付け作業に時間がかかり着脱に手間がかかるという問題がある。
加えて、子供、女性など力が弱い人には、２つのネジｎ１０１、ｎ１０２の締め付け作業が困難であるという不都合もある。
【０００８】
本発明は上記実状に鑑み、このような課題を解決するための抜本的な方策を提案するものであり、更にこれまでの市場に出回った介護ベッドに対しても適用可能な方策を提案するものである。
つまり、本発明は、ベッドに容易に脱着できるとともに、リジッドに固定可能なベッド柵固定装置の提供を目的とする。
【課題を解決するための手段】
【０００９】
前記課題を解決するため、第１の本発明のベッド柵固定装置は、ベッド柵が固定され、移動可能な固定足と、固定足の一部を押圧する押圧手段と、前記押圧手段を動かすカムと前記カムと前記押圧手段との距離を調整する隙間調整手段と、前記カムを回転させる操作部材とを備え、前記カムが回転することで、前記カムが前記押圧手段を押圧し、さらに前記押圧手段が前記固定足の一部を押圧し、さらに前記固定足の他部がベッドの一部に押圧されることで、前記ベッド柵が前記ベッドに固定されている。
【００１０】
第１の本発明によれば、カムを回転させることで固定足を確実にベッドに固定できる。また、カムの回転で、固定足をベッドに固定できるので、操作が容易である。
【００１１】
第２の本発明のベッド柵固定装置は、ベッド柵が固定され、軸を中心に回転可能な固定足と、前記固定足の上部を押圧する押圧手段と、前記押圧手段を動かすカムと、前記カムと前記押圧手段との距離を調整する隙間調整ねじと、前記カムを回転させる操作部材とを備え、前記カムを回転することで、前記カムが前記押圧手段を押圧し、さらに前記押圧手段が前記固定足の上部を押圧し、さらに前記固定足が前記軸を中心に回転して前記固定足の下部が、前記固定足が挿入されるベッドの取付穴の内面を押圧することで、前記ベッド柵が前記ベッドに固定されている。
【００１２】
第２の本発明によれば、操作部材で、カムを回転させることで固定足をベッドに固定できるので、操作が容易である。また、カムを回転させることで固定足を確実にベッドに固定できる。
【００１３】
第３の本発明のベッド柵固定装置は、第１または第２の本発明のベッド柵固定装置において、前記押圧手段は、前記固定足に接触する面が曲率を有する形状に形成されている。
第３の本発明によれば、押圧手段は、固定足に接触する面が曲率を有する形状に形成されているので、押圧手段の固定足への接触動作が円滑に行える。
【００１４】
第４の本発明のベッド柵固定装置は、第１から第３の何れかの本発明のベッド柵固定装置において、前記押圧手段は、前記固定足に接触する箇所に摩擦力を高める部材が設けられている。
第４の本発明によれば、押圧手段の固定足に接触する箇所に摩擦力を高める部材が設けられるので、押圧手段で固定足を安定して保持できる。
【００１５】
第５の本発明のベッド柵固定装置は、第２から第４の何れかの本発明のベッド柵固定装置において、前記操作部材の操作力は、前記操作部材の長さを変えることで変更できる。
第５の本発明によれば、操作部材の操作力は操作部材の長さを変えることで変更できるので、操作部材の長さを調整することで、操作部材の操作力を調整できる。
【００１６】
第６の本発明のベッド柵固定装置は、第２から第５の何れかの本発明のベッド柵固定装置において、前記操作部材は、長さ調整できる。
第６の本発明によれば、操作部材が長さ調整できるので、操作部材の長さを調整することで、操作部材の操作力を調整できる。そのため、使用者に応じた操作力を得ることができる。従って、ユーザフレンドリーなベッド柵固定装置が実現できる。
【発明の効果】
【００１７】
本発明によれば、介護ベッドに容易に脱着できるとともに、リジッドに固定可能なベッド柵固定装置を提供できる。
【図面の簡単な説明】
【００１８】
【図１】本発明の実施形態に係るベッド柵着脱装置が着脱する落下防止用ベッド柵を介護ベッドに固定した状態を示す斜視図。
【図２】介護ベッドから落下防止用ベッド柵を外した状態の斜視図。
【図３】介護ベッドから外した実施形態のベッド柵着脱装置とベッド柵とカバーを示す斜視図。
【図４】ベッド柵とベッド柵着脱装置とからカバーを外した状態を示す斜視図。
【図５】カバーを外したベッド柵およびベッド柵着脱装置を示す拡大斜視図。
【図６】（ａ）は偏心カムの斜視図、（ｂ）は偏心カムの上面図、（ｃ）は（ａ）のＡ方向矢視図、（ｄ）は（ａ）のＢ方向矢視図。
【図７】（ａ）は楕円カムの斜視図、（ｂ）は楕円カムの上面図、（ｃ）は（ａ）のＣ方向矢視図、（ｄ）は（ａ）のＤ方向矢視図。
【図８】（ａ）はプシャーと隙間調整ねじを示す斜視図、（ｂ）は（ａ）のＥ方向矢視図、（ｃ）は（ｂ）のＦ−Ｆ断面図。
【図９】ベッド柵を介護ベッドに対して固定する場合のベッド柵着脱装置とベッド柵を示す斜視図。
【図１０】ベッド柵の脱着に際して、ベッド柵着脱装置のハンドルの操作を示す斜視図。
【図１１】ベッド柵を介護ベッドのベッドフレームに取り付ける状態を示す斜視図。
【図１２】ベッド柵を介護ベッドのベッドフレームに取り付け、ベッド柵をベッドフレームに固定（ロック）した状態の斜視図。
【図１３】ベッド柵の偏心カムと隙間調節ねじの接触状態における荷重状態を示す図。
【図１４】ハンドルの操作力と偏心カムの角度とを示す図。
【図１５】（ａ）は変形形態のハンドルの第１の状態を示す斜視図、（ｂ）は変形形態のハンドルの第２の状態を示す斜視図。
【図１６】従来の落下防止用ベッド柵の正面図。
【発明を実施するための形態】
【００１９】
以下、本発明の実施形態について、適宜図面を参照しながら詳細に説明する。
図１は、本発明の実施形態に係るベッド柵着脱装置が着脱する落下防止用ベッド柵を介護ベッドに固定した状態を示す斜視図である。図２は、介護ベッドから落下防止用ベッド柵を外した状態の斜視図である。
【００２０】
実施形態に係るベッド柵着脱装置１は、落下防止用ベッド柵１Ｓを介護ベッドＢに取り付け、取り外しするための機器である。
落下防止用ベッド柵１Ｓは、介護ベッドＢの一側部に固定され、使用者や寝具の落下防止のために用いられる。
落下防止用ベッド柵１Ｓには、ベッド柵着脱装置１が一体的に取り付けられている（図４参照）。以下、落下防止用ベッド柵１Ｓをベッド柵１Ｓと称す。
【００２１】
図１に示すように、ベッド柵１Ｓには、介護ベッドＢから使用者が出入りする際に開閉されるベッド柵開閉板１Ｄが回転自在に取り付けられている。
ベッド柵１Ｓは、ベッド柵着脱装置１の柵着脱用のハンドル２をα１１のように回動させることにより、介護ベッドＢに固定（ロック）される。
ベッド柵１Ｓを介護ベッドＢから外す際には、ハンドル２をα１２のように回動させることにより、ベッド柵着脱装置１の固定（ロック）が解除され、ベッド柵１Ｓを介護ベッドＢから外すことができる。
【００２２】
図２に示すように、介護ベッドＢのベッドフレームｆには、ベッド柵１Ｓおよびベッド柵着脱装置１を介護ベッドＢに装着するための装着穴ｆ１、ｆ２が貫設されている。
図３は、介護ベッドから外した実施形態のベッド柵着脱装置とベッド柵とカバーを示す斜視図である。図４は、ベッド柵とベッド柵着脱装置とからカバーを外した状態を示す斜視図である。図５は、カバーを外したベッド柵およびベッド柵着脱装置を示す拡大斜視図である。
【００２３】
ベッド柵１Ｓには、図１、図３に示すように、介護ベッドＢの使用者の保護やベッド柵１Ｓの取り扱い性向上のため、カバー３が取り付けられている。
図４に示すように、ベッド柵１Ｓに一体に固定されるベッド柵着脱装置１は、固定足４ａ、４ｂと、プシャー５ａ、５ｂと、カム６と、隙間調整ねじ７ａ、７ｂと、ハンドル２とを構成部品として有している。ベッド柵１Ｓは、構造部材として、枠状の柵フレーム８ａ、８ｂ、８ｃを有している。
【００２４】
ベッド柵着脱装置１の固定足４ａ、４ｂは、ベッド柵１Ｓを介護ベッドＢのベッドフレームｆに固定する役割をもつ。
固定足４ａは、ベッド柵１Ｓの柵フレーム８ａの固定足中心軸８ａ１周りに回動自在（図５の矢印α２１、α２２参照）に支持されている。同様に、固定足４ｂは、ベッド柵１Ｓの柵フレーム８ｂの固定足中心軸８ｂ１周りに回動自在（図５の矢印α３１、α３２参照）に支持されている。
【００２５】
ベッド柵着脱装置１のプシャー５ａは、固定足４ａの上端部４ａ１を外方に向けて押圧する（図５の矢印β１１）。すると、固定足４ａは柵フレーム８ａの固定足中心軸８ａ１周りに回動して、固定足４ａの下端部４ａ２がベッド柵１Ｓの装着穴ｆ１（図２参照）の内面ｆｎ１（図１２参照）に押圧される。これにより、固定足４ａがベッド柵１Ｓの装着穴ｆ１に固定される（図１参照）。
【００２６】
同様に、ベッド柵着脱装置１のプシャー５ｂは、固定足４ｂの上端部４ｂ１を外方に向けて押圧する。すると、固定足４ｂは柵フレーム８ｂの固定足中心軸８ｂ１周りに回動して、固定足４ｂの下端部４ｂ２がベッド柵１Ｓの装着穴ｆ２（図２参照）の内面ｆｎ２（図１２参照）に押圧される。これにより、固定足４ａがベッド柵１Ｓの装着穴ｆ１に固定される（図１参照）。
【００２７】
ベッド柵着脱装置１のカム６は回動することにより、プシャー５ａを外方に向けて（図５の矢印β１１方向に）移動させるとともに、プシャー５ｂを外方に向けて（図５の矢印β２１方向に）移動させる。
隙間調整ねじ７ａは、カム６とプシャー５ａをつなぐ役割をもつ。換言すれば、隙間調整ねじ７ａは、カム６とプシャー５ａとの間の距離を調整するための部材である。隙間調整ねじ７ａを回転させることで、カム６とプシャー５ａ間の距離が調整される。
【００２８】
隙間調整ねじ７ｂは、カム６とプシャー５ｂをつなぐ役割をもつ。換言すれば、隙間調整ねじ７ｂは、カム６とプシャー５ｂとの間の距離を調整するための部材である。隙間調整ねじ７ｂを回転させることで、カム６とプシャー５ｂ間の距離が調整される。
ハンドル２には、カム６が嵌合される。ハンドル２は、カム６を回転させ、ベッド柵１Ｓを介護ベッドＢに固定（ロック）または固定解除（ロック解除）するための部材である。ハンドル２は、使用者に把持されて操作され、ベッド柵１Ｓの介護ベッドＢへのロックまたはロック解除が行われる。
【００２９】
＜カム６＞
図６（ａ）は、偏心カムの斜視図であり、図６（ｂ）は、偏心カムの上面図であり、図６（ｃ）は、図６（ａ）のＡ方向矢視図であり、図６（ｄ）は、図６（ａ）のＢ方向矢視図である。
図７（ａ）は、楕円カムの斜視図であり、図７（ｂ）は、楕円カムの上面図であり、図７（ｃ）は、図７（ａ）のＣ方向矢視図であり、図７（ｄ）は、図７（ａ）のＤ方向矢視図である。
【００３０】
カム６は、図６（ａ）〜（ｄ）に示す偏心カム６ａ、または、図７（ａ）〜（ｄ）に示す楕円カム６ｂが使用される。
図６（ａ）、（ｂ）に示すように、偏心カム６ａは、上面視で両側の基礎円（円の一部）の中心が偏心したカムであり、回転することで、周面６ａ１までの距離が変化する。つまり、偏心カム６ａは、長径部６ａｃと短径部６ａｔとを有している。
【００３１】
偏心カム６ａの中心部には、ハンドル２の矩形状の取り付け部２ｔ（図５参照）が嵌合される取り付け穴６ａ２が貫設されている。
取り付け穴６ａ２にハンドル２の取り付け部２ｔを嵌入することで、ハンドル２が偏心カム６ａに取り付けられる。これにより、ハンドル２を回動させる（図５の矢印α１１、α１２）ことで、偏心カム６ａを回転（図５の矢印γ１１、γ１２）させることができる。
【００３２】
図７（ａ）、（ｂ）に示すように、楕円カム６ｂは、上面視で楕円形状のカムであり、回転することで、周面６ｂ１までの距離が変化する。つまり、楕円カム６ｂは、長径部６ｂｃと短径部６ｂｔとを有している。
偏心カム６ｂの中心部には、ハンドル２の矩形状の取り付け部２ｔ（図５参照）が嵌合される取り付け穴６ｂ２が貫設されている。
【００３３】
取り付け穴６ｂ２にハンドル２の取り付け部２ｔを嵌入することで、ハンドル２が楕円カム６ｂに取り付けられる。これにより、ハンドル２を回動させることで、楕円カム６ｂを回転させることができる（図５の矢印γ１１、γ１２）。
なお、本実施形態では、カム６に偏心カム６ａを用いた場合を例に挙げて説明する。
【００３４】
＜プシャー５ａと隙間調整ねじ７ａおよびプシャー５ｂと隙間調整ねじ７ｂ＞
図８（ａ）は、プシャーと隙間調整ねじを示す斜視図であり、図８（ｂ）は、図８（ａ）のＥ方向矢視図であり、図８（ｃ）は、図８（ｂ）のＦ−Ｆ断面図である。
図８（ｃ）に示すように、プシャー５ａは一方端部に雄ねじ５ａ１が螺刻されている。また、プシャー５ａの他方端部は、固定足４ａの上端部４ａ１（図５参照）を押圧することから、上端部４ａ１に当接する際にスムーズな動作をするように、曲率を有する形状の曲面部５ａ２が形成されている。
【００３５】
また、プシャー５ａには、回り止めの丸ピン（図示せず）が挿入されるピン挿入孔５ａ３が貫設されている。ピン挿入孔５ａ３には回り止めの丸ピン（図示せず）が挿入される。回り止めの丸ピンは、プシャー５ａがスライドする柵フレーム８ｄ（図５参照）のガイド側面に開けられた長穴（図示せず）に勘合するように取り付けられる。丸ピンがカバー３のフレーム部の長穴に勘合することで、プシャー５ａの軸周りの回転が阻止される。このため、プッシャーの５ａ回転方向の動きは規制され、軸方向にのみ動く構造となっている。
【００３６】
一方、隙間調整ねじ７ａは、細径部７ａ１と太径部７ａ２とを有する長形の段付きの円柱形状を有している。太径部７ａ２には、ねじ穴が形成されており、雌ねじ７ａ３が螺刻されている。
プシャー５ａの雄ねじ５ａ１は、隙間調整ねじ７ａの雌ねじ７ａ３に螺合される。
【００３７】
この構成により、プシャー５ａは、回り止めの丸ピンの働きで回転が阻止されることから、隙間調整ねじ７ａをプシャー５ａに対して回すことで、プシャー５ａが軸方向に動く。これにより、プッシャー５ａの先端の曲面部５ａ２を固定足４ａの上端部４ａ１側面に密着または離間させることができる。
【００３８】
そして、図５に示すように、隙間調整ねじ７ａとプシャー５ａとの合計長さを伸縮して、プシャー５ａの曲面部５ａ２と固定足４ａの上端部４ａ１との距離および隙間調整ねじ７ａと偏心カム６ａとの距離を調整することができる。
プシャー５ｂと隙間調整ねじ７ｂの構成は、上述のプシャー５ａと隙間調整ねじ７ａと同様な構成であるから、詳細な説明は省略する。
【００３９】
＜ベッド柵着脱装置１の組み付け構成＞
上述の構成により、ハンドル２の取り付け部２ｔは、偏心カム６ａの取り付け穴６ａ２に嵌入され固定される。偏心カム６ａとハンドル２とは、ベッド柵１Ｓの柵フレーム８ｃに略水平方向に回転自在にとりつけられる。
前記したように、固定足４ａは、柵フレーム８ａの固定足中心軸８ａ１周りに回転自在に取り付けられている。同様に、固定足４ｂは、柵フレーム８ｂの固定足中心軸８ｂ１周りに回転自在に取り付けられている。
【００４０】
図８（ａ）〜（ｃ）に示すプシャー５ａと隙間調整ねじ７ａとのアッセンブリは、ベッド柵１Ｓの柵フレーム８ｄ、８ｅ（図４参照）に軸方向に移動自在（図５の矢印β１１、β１２方向）に取り付けられている。
同様に、プシャー５ｂと隙間調整ねじ７ｂとのアッセンブリは、ベッド柵１Ｓの柵フレーム８ｄ、８ｅに軸方向に移動自在（図５の矢印β２１、β２２方向）に取り付けられている。
こうして、図５に示すベッド柵着脱装置１が設けられている。
【００４１】
＜カム６ａの位置とベッド柵１Ｓの脱着＞  
図１に示すベッド柵１Ｓを介護ベッドＢに対して脱着する場合には、ハンドル２を介護ベッドＢの長手方向（ベッド柵１Ｓの延在面）に対して、略９０度成す位置とする（図４、図５参照）。
この場合、偏心カム６ａの短径部６ａｔ（図６（ａ）、（ｂ）参照）がそれぞれ隙間調整ねじ７ａ、７ｂの一端部に対向する位置にある。
【００４２】
そのため、偏心カム６ａは、隙間調整ねじ７ａ、７ｂの一端部をそれぞれ外方に押圧しておらず、隙間調整ねじ７ａ、７ｂにそれぞれ螺合されるプシャー５ａ、５ｂの各曲面部５ａ２、５ｂ２は、固定足４ａ、４ｂの各上端部４ａ１、４ｂ１を押圧しない。
【００４３】
この場合、固定足４ａは回転軸８ａ１周りにモーメントを受けない。同様に、固定足４ｂは回転軸８ｂ１周りにモーメントを受けない。従って、固定足４ａの下端部４ａ２はベッドフレームｆの装着穴ｆ１（図２参照）の内面ｆ１ｎ（図１２参照）を押圧することがない。また、固定足４ｂの下端部４ｂ２はベッドフレームｆの装着穴ｆ２（図２参照）の内面ｆ２ｎ（図１２参照）を押圧することがない。
【００４４】
そのため、ベッド柵着脱装置１が固定されるベッド柵１Ｓは、介護ベッドＢのベッドフレームｆの装着穴ｆ１、ｆ２から脱着可能な状態にある。
図９は、ベッド柵を介護ベッドに対して固定する場合のベッド柵着脱装置とベッド柵を示す斜視図である。
ベッド柵１Ｓを、介護ベッドＢに対して固定する場合、ハンドル２は介護ベッドＢの長手方向（ベッド柵１Ｓの延在面）に対して、略０度の位置にある。
【００４５】
この場合、偏心カム６ａの長径部６ａｃ（図６（ａ）、（ｂ）参照）がそれぞれ隙間調整ねじ７ａ、７ｂの一端部に対向する位置にあり、隙間調整ねじ７ａ、７ｂをそれぞれ外方に押圧する。すると、隙間調整ねじ７ａ、７ｂに一端部が締結されるプシャー５ａ、５ｂの他端部の各曲面部５ａ２、５ｂ２は、固定足４ａ、４ｂの各上端部４ａ１、４ｂ１を外方に押圧する。
【００４６】
そのため、固定足４ａは回転軸８ａ１周りに下端部４ａ１が内側に傾くモーメントを受け（図９の矢印α２１）、固定足４ａの下端部４ａ２はベッドフレームｆの装着穴ｆ１（図２参照）の内面ｆ１ｎに押圧される。この摩擦力により、固定足４ａが介護ベッドＢのベッドフレームｆに固定される。  
【００４７】
同様に、固定足４ｂは回転軸８ｂ１周りに下端部４ｂ１が内側に傾くモーメントを受け（図９の矢印α３１）、固定足４ｂの下端部４ｂ２はベッドフレームｆの装着穴ｆ２（図２参照）の内面ｆ２ｎに押圧される。この摩擦力により、固定足４ｂが介護ベッドＢのベッドフレームｆ２に固定される。
これによって、ベッド柵１Ｓは、ベッド柵着脱装置１を介して、介護ベッドＢのベッドフレームｆに固定される。
【００４８】
図１０は、ベッド柵の脱着に際して、ベッド柵着脱装置のハンドルの操作を示す斜視図である。
上述のことから、ベッド柵１Ｓが脱着できる初期状態においては、ハンドル２は２点鎖線の位置にある。
ベッド柵１Ｓを介護ベッドＢに固定する場合、使用者はハンドル２を把持して、２点鎖線の状態から、操作力Ｆを加えて図１０の矢印α１１方向に回動させる。
【００４９】
すると、ハンドル２に固定される偏心カム６ａの長径部６ａｃ（図６（ａ）、（ｂ）参照）がそれぞれ隙間調整ねじ７ａ、７ｂの一端部を外方に押圧する。
すると、隙間調整ねじ７ａ、７ｂの他端部に、一端部が締結されるプシャー５ａ、５ｂの他端部の各曲面部５ａ２、５ｂ２は、ベッド柵１Ｓの固定足４ａ、４ｂの各上端部４ａ１、４ｂ１を外方に押圧する（図１０の矢印β１１、β２１参照）。
【００５０】
これにより、固定足４ａは回転軸８ａ１周りに回動し（図１０の矢印α２１）、固定足４ａの下端部４ａ２がベッドフレームｆの装着穴ｆ１（図２参照）の内面ｆ１ｎに押圧され、固定足４ａが介護ベッドＢのベッドフレームｆに固定される。  
同様に、固定足４ｂは回転軸８ｂ１周りに回動し（図１０の矢印α３１）、固定足４ｂの下端部４ｂ２はベッドフレームｆの装着穴ｆ２（図２参照）の内面ｆ２ｎに押圧され、固定足４ｂが介護ベッドＢのベッドフレームｆ２に固定される。
【００５１】
ベッド柵１Ｓを介護ベッドＢから外す場合には、使用者はハンドル２を把持して、実線の状態から、図１０の矢印α１２方向に回動させる。
すると、ハンドル２に固定される偏心カム６ａの短径部６ａｔ（図６（ａ）、（ｂ）参照）がそれぞれ隙間調整ねじ７ａ、７ｂの一端部に対向し、隙間調整ねじ７ａ、７ｂの外方への押圧が解除される。
【００５２】
これにより、固定足４ａの回転軸８ａ１周りのモーメントが解消され、固定足４ａの下端部４ａ２のベッドフレームｆの装着穴ｆ１（図２参照）の内面ｆ１ｎの押圧が解除される。そのため、固定足４ａが介護ベッドＢのベッドフレームｆからフリー（自由）になる。  
【００５３】
同様に、固定足４ｂの回転軸８ｂ１周りのモーメントが解消され、固定足４ｂの下端部４ｂ２のベッドフレームｆの装着穴ｆ２（図２参照）の内面ｆ２ｎの押圧が解除され、固定足４ｂが介護ベッドＢのベッドフレームｆからフリー（自由）になる。
これにより、ベッド柵１Ｓをベッド柵着脱装置１とともに、介護ベッドＢのベッドフレームｆから抜くことができる。
【００５４】
＜ベッド柵１Ｓの介護ベッドＢへの装着とベッド柵１Ｓの固定力＞
図１１は、ベッド柵を介護ベッドのベッドフレームに取り付ける状態を示す斜視図である。なお、図１１では、介護ベッドＢ全体は省略し、介護ベッドＢのベッドフレームｆのみを示している。
ベッド柵１Ｓを装着する際は、図１１に示すように、ハンドル２をベッド柵１Ｓの長手方向に略直角（略９０度）の位置にし、ベッド柵１Ｓに固定されるベッド柵着脱装置１の２本の固定足４ａ、４ｂを介護ベッドＢの装着穴ｆ１、ｆ２（図２参照）に挿入する。
【００５５】
そして、隙間調整ねじ７ａ、７ｂをそれぞれ回してプシャー５ａ、５ｂの先端の曲面部５ａ２と固定足４ａ、４ｂの各上端部４ａ１、４ａ２がガタなく密着するようにするとともに、隙間調整ねじ７ａ、７ｂとカム６ａとの間隔を調整する。
図１２は、ベッド柵を介護ベッドのベッドフレームに取り付け、ベッド柵をベッドフレームに固定（ロック）した状態の斜視図である。
【００５６】
そして、図１２に示すように、ハンドル２を略９０°回してベッド柵１に沿った状態にすると、偏心カム６ａが回転し、偏心カム６ａの各長径部６ａｃが隙間調整ねじ７ａ、プシャー５ａと、隙間調整ねじ７ｂ、プシャー５ｂとをそれぞれ外方に押圧する。
すると、固定足４ａは、柵フレーム８ａの固定足中心軸８ａ１周りに回動し（図５の矢印α２１）、固定足４ａの下端部４ａ２が装着穴ｆ１の内面ｆ１ｎに押し付けられる。
【００５７】
また、固定足４ｂは、柵フレーム８ｂの固定足中心軸８ｂ１周りに回動し（図５の矢印α３１）、固定足４ｂの下端部４ｂ２は装着穴ｆ２の内面ｆ２ｎに押し付けられる。
こうして、ベッド柵１Ｓが、ベッド柵着脱装置１を介して、介護ベッドＢのベッドフレームｆに固定される（図１参照）。
【００５８】
次に、ベッド柵１Ｓの固定力とその際の使用者の操作力Ｆ（図１０参照）について説明する。
図１３は、ベッド柵の偏心カムと隙間調節ねじの接触状態における荷重状態を示す図である。
緒元は表１の通りとする。
【００５９】
【表１】
0006512432.tif 000002
ｅ（図６（ｂ）参照）は偏心カム６ａのカムハイト、Ｌは、偏心カム６ａでの押圧力であり、Ｒ（図６（ｂ）参照）は、偏心カム６ａの基礎円半径、μは偏心カム６ａの周面６ａ１と固定足４ａ（４ｂ）との摩擦係数である。なお、μはメタルブッシュ相当の摩擦係数とする。なお、摩擦係数は静摩擦係数と動摩擦係数のうちの大きい値をとることが好ましい。
【００６０】
図１３において、押圧力Ｌを2200N（ニュートン）とした場合、偏心カム６ａの駆動トルクτは回転軸Ｃまわりの負荷のトルクと釣り合えばよいので、
τは、（偏心カム６ａと隙間調整ねじ７ａ（７ｂ）との摩擦力によるトルク）と（押圧力Ｌの反力によるトルク）との和で表せるので、
τ = μL (R + e・sinθ) + L・e・cosθ                          （１）
となる。
【００６１】
展開すると、
τ = L（e・cosθ＋eμ・sinθ＋μR）
と表せる。なお、「・」は積を表す。表１の数値を代入すると、
τ =2200*(0.5*cosθ+0.5*0.1*sinθ+0.1*10)                      （２）
となる。なお、「*」は積を表す。
【００６２】
τ は、ハンドル２の長さＨｃ（図１０参照）とハンドル２の操作力Ｆ（図１０参照）により下式（３）で表わされる。
τ =Ｈｃ×Ｆ                    （３）
操作レバーであるハンドル２の長さを１５０ｍｍとし、回転角を0°から90°まで変化させたときの操作力Ｆをプロットすると、図1４の様になる。図1４は、ハンドルの操作力Ｆと偏心カムの角度θとを示す図である。なお、図1４の横軸は、偏心カム６ａの角度θ（°）をとり、縦軸は、ハンドル２の操作力Ｆ（Ｎ：ニュートン）をとっている。なお、角度０°とは、図１１に示すハンドル２がベッド柵１Ｓおよびベッド柵着脱装置１の延在面に対して、略９０度の場合をいう。すなわち、ベッド柵１Ｓが介護ベッドＢに対して、脱着可能な状態である。
【００６３】
図1４の値は固定足４ａ（４ｂ）片側の操作力であるので、実際の操作力はこの倍になるが、３〜４ｋｇｆの操作力でベッド柵１Ｓをベッドフレームｆに固定できる。なお、ハンドル２を把持したレバー操作でロック、ロック解除を行えるので、使用者は操作が楽である。
【００６４】
ベッド柵１Ｓを取り外す際は、ハンドル２をベッド柵１Ｓの延在面に垂直（図４参照）になるよう回転させれば、偏心カム６ａの短径部６ａｔ、６ａｔ（図６（ｂ）参照）が隙間調整ねじ７ａ、７ｂに対向する。そのため、偏心カム６ａの固定足４ａ、４ｂに対する押圧力Ｌはほぼなくなり（Ｌ≒０）、ベッド柵１Ｓを介護ベッドＢから簡単に外すことができる。
【００６５】
なお、ベッド柵１Ｓの介護ベッドＢへの装着時に隙間調整ねじ７ａ、７ｂを回転させる操作は、対象となる介護ベッドＢに最初にベッド柵１Ｓを装着する際に必要となる操作である。一度、隙間調整ねじ７ａ、７ｂでそれぞれ偏心カム６ａの周面６ａ１と隙間調整ねじ７ａ、７ｂとの距離およびプシャー５ａ、５ｂと固定足４ａ、４ｂの上端部４ａ１、４ｂ１との距離を調整すると、ハンドル２のほぼ９０度の範囲の回動操作で、偏心カム６ａの短径部６ａｔまたは長径部６ａｃと隙間調整ねじ７ａ、７ｂとの当接または対向を調整することができる。
【００６６】
換言すれば、隙間調整ねじ７ａ、７ｂでそれぞれ偏心カム６ａとプシャー５ａ、５ｂとの各距離を調整すれば、ハンドル２のほぼ９０度範囲の回動操作で、偏心カム６ａの短径部６ａｔまたは長径部６ａｃと隙間調整ねじ７ａ、７ｂとの当接または対向を行い、ベッド柵１Ｓのロック、ロック解除を行える。
そのため、その後のベッド柵１Ｓの取り外しとベッド柵１Ｓの再装着の際には、隙間調整ねじ７ａ、７ｂの操作を省くことができる。
【００６７】
上述のベッド柵着脱装置によれば、下記の効果を奏する。
１．ベッド柵１Ｓの介護ベッドＢへの着脱が容易になる。そのため、老人や力の弱い女性、子供などでも、ベッド柵１Ｓの脱着を行うことが可能である。
【００６８】
２．ベッド柵１Ｓの脱着は、ハンドル２を把持しての左右に回転させるレバー操作で行えるので操作が容易である。例えば、手以外の体の一部でも操作が行える。
【００６９】
３．そのため、ほぼ何人でもベッド柵１Ｓの脱着が行え、介護現場の負担を軽減することができる。
【００７０】
４．カム（６ａ、６ｂ）の動作でベッド柵１Ｓの固定足４ａ、４ｂを固定するので、確実なベッド柵１Ｓの介護ベッドＢへの取付強度を得ることができる。そのため、痴呆症の患者などがベッド柵１Ｓをゆすって引き抜くなどの不測の事態を回避することができる。
【００７１】
５．ベッド柵１Ｓの脱着時の操作は、ハンドル２を把持しての左右に回転させるレバー操作であるので、ハンドル２の長さを長くして、操作力Ｆを低減することが可能である。例えば、ハンドル２の長さを長くして、操作力Ｆを１．５ｋｇｆ未満とできる。
【００７２】
６．既存の介護ベッドＢへの装着穴ｆ１、ｆ２に脱着できるので、汎用性が高い。
【００７３】
７．以上のことから、ベッド柵１Ｓを介護ベッドＢに対して容易に脱着できるとともに、ベッド柵１Ｓを介護ベッドＢにリジッドに固定できるベッド柵着脱装置１を提供できる。
【００７４】
＜＜変形形態＞＞
図１５（ａ）は、変形形態のハンドルの第１の状態を示す斜視図であり、  図１５（ｂ）は、変形形態のハンドルの第２の状態を示す斜視図である。
変形形態のハンドル２２は、長さを調整できるハンドルとしたものである。
ハンドル２２は、第１ハンドル部２２ａと、第２ハンドル部２２ｂとを有している。
第１ハンドル部２２ａはストッパ穴２２ａ１が形成されており、第２ハンドル部２２ｂには弾性的に上下するストッパ釦２２ｂ１が設けられている。
【００７５】
ハンドル２２は、第１の状態（図１５（ａ）参照）と、第２の状態（図１５（ｂ）参照）とを有している。
ハンドル２２は第１の状態（図１５（ａ）参照）では、第１ハンドル部２２ａの長さとなり短い。
【００７６】
そして、第１の状態（図１５（ａ）参照）において、ストッパ釦２２ｂ１を押下しストッパ穴２２ａ１から外すことで、第２ハンドル部２２ｂを第１ハンドル部２２ａ内から引き出し、第２の状態（図１５（ｂ）参照）とできる。なお、第２の状態で、第１ハンドル部２２ａと第２ハンドル部２２ｂをロックするロック手段（図示せず）が設けられている。
【００７７】
第２の状態は、第１ハンドル部２２ａと第２ハンドル部２２ｂとを合わせた長さになる。
例えば、第２の状態（図１５（ｂ）参照）のハンドル２２の長さｓ２を第１の状態（図１５（ａ）参照）のハンドル２２の長さｓ１の２倍とすれば、第１の状態の操作力Ｆの半分の操作力Ｆでベッド柵１Ｓを固定することができる。
【００７８】
具体的には、第１の状態（図１５（ａ）参照）のハンドル２２の長さｓ１を説明した１５０ｍｍ、第２の状態（図１５（ａ）参照）のハンドル２２の長さｓ２を３００ｍｍとすると、第２の状態では、半分の操作力Ｆでベッド柵１Ｓを介護ベッドＢに固定することができる。
なお、本例では、ハンドル２２を２段階に操作できる場合を示したが、３段階以上に変更できる構成としてもよい。
【００７９】
また、ハンドル２２の長さを連続的（無段階に）に変更できる構成としてもよい。
この構成により、ハンドル２２の長さを長くして操作することで、操作力Ｆを充分に低くして操作できる。そのため、老人、力の弱い女性、子供などでもベッド柵１Ｓの脱着を容易に手間がかかることなく行える。
また、ハンドル２２の操作後（図１参照）は、ハンドル２２を短くしておけば（例えば、第１の状態（図１５（ａ）参照））、邪魔になることはない。
【００８０】
＜＜その他の実施形態＞＞
１．プシャー５ａ、５ｂの固定足４ａ、４ｂへの接触部の曲面部５ａ２、５ｂ２に、ゴムその他の摩擦係数が高い部材（摩擦力を高める部材）を嵌め込むなどして設けてもよい。これにより、プシャー５ａ、５ｂでそれぞれ固定足４ａ、４ｂを確実に押して保持することができる。
【００８１】
２．前記実施形態では、隙間調整ねじ７ａ、７ｂでそれぞれプシャー５ａ、５ｂとカム６（６ａ、６ｂ）との距離を調整する構成を説明したが、ねじ以外のスライドする部材と、摩擦やその他のロック機構とで当該距離を調整し固定する構成としてもよい。
【００８２】
３．前記実施形態では、カムとして、偏心カム６ａ、楕円カム６ｂを例示して説明したが、前記したと同様な作用を発揮できれば、その他の形状のカムを用いてもよい。
【００８３】
４．前記実施形態では、ハンドル２の長さが１５０ｍｍの場合を例示して説明したが、ハンドル２の長さをより長くして操作力Ｆを低下させる構成としてもよい。例えば、ハンドル２の長さを３００ｍｍとすれば、説明した操作力を１／２とでき、また、ハンドル２の長さを４５０ｍｍとすれば、説明した操作力を１／３にできる。
【００８４】
５．前記実施形態では、固定足４ａ、４ｂを回転軸８ａ１、８ｂ１周りに回転させる構成を説明したが、固定足４ａ、４ｂがそれぞれベッドフレームｆの装着穴ｆ１、ｆ２に固定できれば、固定足４ａ、４ｂを回転以外の運動をさせて固定する構成としてもよい。
【００８５】
６．前記実施形態では、ベッドとして介護用ベッドを例示して説明したが、本発明は他のベッドにも適用可能である。
【００８６】
７．前記実施形態は、本発明の一例を示したものであり、特許請求の範囲に記載した本発明の範囲内で様々な具体的形態、変形形態が可能である。
【符号の説明】
【００８７】
１      ベッド柵着脱装置（ベッド柵固定装置）
１Ｓ    ベッド柵
２      ハンドル（操作部材）
４ａ、４ｂ  固定足
４ａ２、４ｂ２  下端部（固定足の他部、固定足の下部）
４ａ１、４ｂ１  上端部（固定足の一部、固定足の上部）
５ａ、５ｂ  プッシャー（押圧手段）
５ａ２、５ｂ２  曲面部（固定足に接触する面）
６      カム
６ａ    偏心カム（カム）
６ｂ    楕円カム（カム）
７ａ、７ｂ  隙間調整ねじ（隙間調整手段）
８ａ１、８ｂ１  中心軸（軸）
Ｂ      介護ベッド（ベッド）
ｆ１、ｆ２  装着穴（取付穴）
ｆ１ｎ、ｆ２ｎ  内面（取付穴の内面、ベッドの一部）
【図１】
0006512432.tif 000003
【図２】
0006512432.tif 000004
【図３】
0006512432.tif 000005
【図４】
0006512432.tif 000006
【図５】
0006512432.tif 000007
【図６】
0006512432.tif 000008
【図７】
0006512432.tif 000009
【図８】
0006512432.tif 000010
【図９】
0006512432.tif 000011
【図１０】
0006512432.tif 000012
【図１１】
0006512432.tif 000013
【図１２】
0006512432.tif 000014
【図１３】
0006512432.tif 000015
【図１４】
0006512432.tif 000016
【図１５】
0006512432.tif 000017
【図１６】
0006512432.tif 000018